(57)【要約】ロック部の挿通路に対する、バンド部の挿入力を低くすることができる、バンドクランプを提供する。このバンドクランプ１０は、ロック部２０とバンド部４０とを有し、ロック部２０は挿通路２５と係止爪３１，３２を有する係止片３０とを有し、バンド部４０は複数の係止歯を有し、バンド部の最先端側に位置する最先端係止歯５１の、裾部５３から頂部５４までの長さをＡとし、最先端係止歯に隣接した係止歯４９の、裾部５３から頂部５４までの長さをＢとしたとき、ＡがＢよりも大きく形成されており、最先端係止歯５１は、裾部５３から頂部５４までの間に、断続的な斜面をなして突出するように設けられている。
2020137943.tif 000002
【特許請求の範囲】
【請求項１】
ロック部と、該ロック部から延出したバンド部とを有し、
前記ロック部は、前記バンド部が挿通される挿通路と、該挿通路の内部に撓み可能に形成された係止片とを有し、
前記バンド部は、少なくとも片面から突出形成された複数の係止歯を有し、
前記係止片は、前記バンド部が前記挿通路に挿入されるとき、前記係止歯に係止する係止爪を有し、
各係止歯は、前記バンド部の延出方向の先端側に位置する突出量が最小の裾部と、前記バンド部の延出方向の基端側に位置する突出量が最大の頂部とを有しており、
前記複数の係止歯のうち、前記バンド部の延出方向の最も先端側に位置する最先端係止歯の、前記裾部から前記頂部までの、前記バンド部の延出方向に沿った長さをＡとし、
前記複数の係止歯のうち、前記最先端係止歯に対して、前記バンド部の延出方向の基端側に隣接した係止歯の、前記裾部から前記頂部までの、前記バンド部の延出方向に沿った長さをＢとしたとき、前記Ａが前記Ｂよりも大きくなるように形成されており、
前記最先端係止歯は、前記裾部から前記頂部までの間に、断続的又は連続的な斜面をなして突出するように設けられていることを特徴とするバンドクランプ。
【請求項２】
前記最先端係止歯は、前記バンド部の延出方向の先端側に位置する第１斜面と、該第１斜面よりも前記バンド部の延出方向の基端側に位置する第２斜面と、前記第１斜面と前記第２斜面との間に設けられた棚面とを有しており、前記最先端係止歯の、前記バンド部の延出方向の先端側及び前記バンド部の延出方向の基端側に、前記第１斜面及び前記第２斜面を介して、段状に突出する部分が設けられている請求項１記載のバンドクランプ。
【請求項３】
前記棚面は、前記バンド部の片面からの突出量が一定とされている請求項２記載のバンドクランプ。
【請求項４】
前記最先端係止歯は、その頂部が、前記バンド部の片面からの突出量が一定となるように形成されているか、又は、前記最先端係止歯の頂部から前記バンド部の延出方向の先端側に向けて傾斜する傾斜部が形成されており、
前記棚面の、前記バンド部の延出方向に沿った長さをＣとし、
前記バンド部の片面からの突出量が一定に形成された前記頂部、又は、前記傾斜部の、前記バンド部の延出方向に沿った長さをＤとしたとき、前記Ｃは前記Ｄよりも大きくなるように形成されている請求項２又は３記載のバンドクランプ。
【請求項５】
前記ロック部の前記挿通路の内部には、一対の突状支持部が設けられており、
前記バンド部の、延出方向に直交する幅方向の両側部には、前記一対の突状支持部に支持される一対のリブが設けられており、これらの一対のリブの間に、前記最先端係止歯が配置されている請求項１〜４のいずれか１つに記載のバンドクランプ。
【発明の詳細な説明】
【技術分野】
【０００１】
本発明は、例えば、ケーブルや電線等の被結束部材に巻き付けて、これらを結束するバンドクランプに関する。
【背景技術】
【０００２】
例えば、車両の内部や外部には、複数のケーブルや電線、パイプ、チューブ等（被結束部材）が配設されているが、これらはバンドクランプ（結束バンド等ともいう）によって結束されることが多い。【０００３】
このようなものとして、下記特許文献１には、本願明細書に添付した図１０に示すような結束バンドが記載されている。この結束バンド１は、片面に複数の係止歯３が形成されたバンド部２と、バンド部２の基端に形成されたロック部５とを備え、ロック部５は、バンド部２が挿通される挿通路６と、一端が連結部７ａを介して挿通路内に連結された、撓み可能な係止片７とを有している。また、係止片７の他端側には、バンド部２の係止歯３に係止する一対の係止爪８，９が形成されている。【０００４】
そして、バンド部２を、先端側からロック部５の挿通路６内に挿入していくと、まず、バンド部２の最先端側に位置する係止歯３が、係止片７の連結部７ａ寄りの係止爪８に当接して、係止片７を押圧して撓み変形させつつ、同係止歯３が係止爪８を乗り越えることで、係止歯３が係止爪８に係止する。更にバンド部２を挿入すると、最先端の係止歯３よりもバンド基端側の複数の係止歯３が、係止片７の係止爪８，９を順次乗り越えて、同係止爪８，９に断続的に係止して、被結束部材が締付け保持される。
【先行技術文献】
【特許文献】
【０００５】
【特許文献１】特開２０１６−３１１１６号公報
【発明の概要】
【発明が解決しようとする課題】
【０００６】
ところで、上記特許文献１の結束バンドでは、本願明細書に添付した図１０に示すように、バンド部２の最先端側に位置する係止歯３の頂部３ａが、係止爪８の裾部８ａを押圧して、係止片７を撓ませるようになっている。しかし、係止片７の撓み変形時の支点（係止片７の連結部７ａ）と、係止爪８の押圧力が付与される作用点（裾部８ａ）との距離Ｌが短いので、係止片７を撓ませにくく、バンド部２に大きな挿入力を付与する必要があった。【０００７】
したがって、本発明の目的は、ロック部の挿通路に対する、バンド部の挿入力を低くすることができる、バンドクランプを提供することにある
【課題を解決するための手段】
【０００８】
上記目的を達成するため、本発明のバンドクランプは、ロック部と、該ロック部から延出したバンド部とを有し、前記ロック部は、前記バンド部が挿通される挿通路と、該挿通路の内部に撓み可能に形成された係止片とを有し、前記バンド部は、少なくとも片面から突出形成された複数の係止歯を有し、前記係止片は、前記バンド部が前記挿通路に挿入されるとき、前記係止歯に係止する係止爪を有し、各係止歯は、前記バンド部の延出方向の先端側に位置する突出量が最小の裾部と、前記バンド部の延出方向の基端側に位置する突出量が最大の頂部とを有しており、前記複数の係止歯のうち、前記バンド部の延出方向の最も先端側に位置する最先端係止歯の、前記裾部から前記頂部までの、前記バンド部の延出方向に沿った長さをＡとし、前記複数の係止歯のうち、前記最先端係止歯に対して、前記バンド部の延出方向の基端側に隣接した係止歯の、前記裾部から前記頂部までの、前記バンド部の延出方向に沿った長さをＢとしたとき、前記Ａが前記Ｂよりも大きくなるように形成されており、前記最先端係止歯は、前記裾部から前記頂部までの間に、断続的又は連続的な斜面をなして突出するように設けられていることを特徴とする。
【発明の効果】
【０００９】
本発明によれば、バンド部に設けた最先端係止歯は、裾部から頂部までの間に、断続的又は連続的な斜面をなして突出するように設けられているので、ロック部とバンド部との間に、ケーブルや電線等の被結束部材を配置した後、バンド部の先端部をロック部の挿通路に挿入して、係止片の係止爪にバンド部の係止歯を係止させていく際に、最先端係止歯が、係止爪を押圧して係止片を撓ませるため、係止片の撓み変形時の支点と、係止爪の、最先端係止歯からの押圧力が付与される作用点との距離をなるべく長く確保して、係止片を撓ませやすくすることができ、ロック部の挿通路にバンド部を低い挿入力で挿入することができる。
【図面の簡単な説明】
【００１０】
【図１】本発明に係るバンドクランプの一実施形態を示す斜視図である。
【図２】同バンドクランプの拡大断面図である。
【図３】同バンドクランプを構成するバンド部を示しており、（ａ）はその平面図、（ｂ）は断面図である。
【図４】同バンドクランプにおいて、ロック部の挿通路にバンド部を挿入する際の状態を示しており、（ａ）はその第１工程を示す拡大断面図、（ｂ）は第２工程を示す拡大断面図である。
【図５】同バンドクランプにおいて、ロック部の挿通路にバンド部を挿入する際の状態を示しており、（ａ）はその第３工程を示す拡大断面図、（ｂ）は第４工程を示す拡大断面図である。
【図６】同バンドクランプにおいて、ロック部の挿通路にバンド部を挿入する際の状態を示しており、その第５工程を示す拡大断面図である。
【図７】同バンドクランプの拡大正面図である。
【図８】同バンドクランプを用いて、被結束部材を結束した状態の断面説明図である。
【図９】同バンドクランプを構成するバンド部の、他形状を示す断面図である。
【図１０】従来の結束バンドの要部拡大断面図である。
【発明を実施するための形態】
【００１１】
以下、図面を参照して、本発明に係るバンドクランプの、一実施形態について説明する。
【００１２】
図８に示すように、このバンドクランプ１０は、例えば、車両の内部に配設される、複数の電線やケーブル、チューブ、パイプ等の被結束部材Ｈを結束するためのものである。そして、図１や図２に示すように、このバンドクランプ１０は、ロック部２０と、該ロック部２０から延出したバンド部４０とを有している。また、図１に示すように、バンド部４０の片面４５からは、複数の係止歯４９，５１が突出して形成されている。
【００１３】
まず、ロック部２０について詳述する。図１及び図２に示すように、この実施形態のロック部２０は、底壁２１と、該底壁２１の幅方向両側の周縁部から立設した一対の側壁２２，２２と、これらの一対の側壁２２，２２の立設方向先端部どうしを連結する天井壁２３とからなり、略四角枠状をなしている。また、ロック部２０の内部には、複数の壁部で囲まれることによって、バンド部４０が挿通される挿通路２５が形成されている。この挿通路２５の一端側開口が、バンド部４０が挿入されるバンド部入口２５ａをなし、他端側開口が、バンド部４０が挿出されるバンド部出口２５ｂをなしている。
【００１４】
また、図７に示すように、挿通路２５の内部には、一対の突状支持部２７，２７が設けられている。この実施形態では、挿通路２５を画成する底壁２１と一対の側壁２２，２２との内側角部に、バンド部４０の挿入方向に沿って延びる、一対の突状支持部２７，２７が突設されている。
【００１５】
上記挿通路２５の内部には、係止片３０が撓み可能に形成されており、この係止片３０は、バンド部４０が挿通路２５に挿入されるとき、係止歯４９，５１に係止する係止爪３１，３２を有している。この実施形態における係止片３０は、前記一対の突状支持部２７，２７の間に所定隙間を介して撓み可能に形成されたものであって（図７参照）、図２に示すように、その基端３０ａが前記底壁２１に連結されており、先端３０ｂがバンド部出口２５ｂ側へ向けて延出している。なお、係止片３０は、その基端３０ａとロック部２０の底壁２１との連結部分を撓み支点Ｐ１（図４（ａ）参照）として、撓み変形するようになっている。また、係止片３０の天井壁２３に向く面から、バンド部４０の係止歯４９，５１に係止する、係止爪３１，３２が突出して設けられている。この実施形態では、係止片３０の基端３０ａ側に係止爪３１が配置されており、係止片３０の先端３０ｂ側に係止爪３２が配置されている。
【００１６】
また、各係止爪３１，３２の天井壁２３側の面には、バンド部出口２５ｂ側に向かって次第に突出高さが高くなるテーパ面３１ａ，３２ａが形成されている。更に各係止爪３１，３２の、係止片３０の天井壁側の面からの突出量が最も大きい部分が、頂部３１ｂ，３２ｂをなしている。また、各係止爪３１，３２の、係止片３０の天井壁側の面からの突出量が最も小さい部分が、裾部３１ｃ，３２ｃをなしている。更に、各係止爪３１，３２の、頂部３１ｂ，３２ｂよりも係止片先端側には、バンド部４０の係止歯４９，５１に係止する、係止部３１ｄ，３２ｄが設けられている（図２及び図５（ａ）参照）。なお、係止片に設けた係止爪は２つではなく、１つとしてもよいし、３つ以上であってもよい。
【００１７】
また、ロック部２０には、図８に示すように、バンドクランプ１０を、車両パネルや車体フレーム等の被取付部材１００に取付けるための、係止脚３５が連設されている。図７を併せて参照すると、この実施形態の係止脚３５は、前記底壁２１の外周から、天井壁２３とは反対側に向けて、斜め外方に傘状に広がるフランジ部３６と、底壁２１の裏側から延出した柱部３７と、この柱部３７の延出方向先端から、前記フランジ部３６に向けて斜め外方に延びる、撓み可能な一対の弾性係止片３８，３８とから構成されている。そして、被取付部材１００の取付孔１０５の表側から係止脚３５を挿入すると、取付孔１０５の表側周縁にフランジ部３６が当接すると共に、取付孔１０５の裏側周縁に一対の弾性係止片３８，３８が係止して、被取付部材１００の取付孔１０５に、係止脚３５を介して、バンドクランプ１０が取付けられるようになっている（図８参照）。なお、係止脚は、上記構造に限定されるものではなく、また、係止脚を設けなくともよい。
【００１８】
次にバンド部４０について詳述する。図１や図２に示すように、この実施形態のバンド部４０は、その基端４１が前記ロック部２０の天井壁２３の、バンド部出口２５ｂの近傍に連結されており、この連結部分から所定長さで帯状に延出している。なお、バンド部４０の延出方向の先端４３の幅方向（バンド部４０の延出方向及び係止歯４９，５１の突出方向に直交する方向を意味する。以下の説明でも同様）の両側部は、次第に幅狭に形成されており、ロック部２０の挿通路２５のバンド部入口２５ａに挿入しやすくなっている。
【００１９】
また、バンド部４０の片面４５（ロック部２０の挿通路２５にバンド部４０を挿入したときに、係止片３０の係止爪３１，３２に向く面）からは、複数の係止歯４９，５１が突出している。この実施形態では、図３（ａ）に示すように、バンド部４０の延出方向の最先端から基端４１側の所定範囲には、係止歯が突出していないが、この係止歯未突出部分に最も近い位置に、バンド部４０の延出方向の最も先端側に位置する、最先端係止歯５１が突出しており、この最先端係止歯５１よりもバンド部４０の延出方向の基端４１側に向けて、複数の係止歯４９が、所定間隔をあけて設けられている。
【００２０】
なお、本発明における「係止歯」とは、図３（ｂ）に示すように、バンド部４０の所定の片面４５と、この片面４５に対してバンド部４０の延出方向に隣接する他の片面４５との間で、突出した一つのものを意味しており、例えば、二つ一組の係止歯や、三つ一組の係止歯等は含まない。
【００２１】
また、図３（ｂ）に示すように、各係止歯４９，５１は、バンド部４０の延出方向の先端４３側に、突出量が最小（バンド部４０の片面４５からの突出量が最も小さい）の裾部５３と、この裾部５３よりもバンド部４０の延出方向の基端４１側に、バンド部４０の片面４５からの突出量が最大（バンド部４０の片面４５からの突出量が最も大きい）の頂部５４とを有している。更に、各係止歯４９，５１の、頂部５４よりも、バンド部４０の基端４１側には、バンド部４０の延出方向に対してほぼ直角な、係止部５５が形成されている。
【００２２】
更に、図３（ａ），（ｂ）に示すように、バンド部４０の幅方向両側であって、バンド部４０の片面４５からは、バンド部４０の長手方向に沿って延びる、一対のリブ４７，４７が、所定高さで突出している。この実施形態におけるリブ４７は、係止歯４９，５１と同一高さで突出している。また、これらのリブ４７，４７は、バンド部４０がロック部２０の挿通路２５に挿入されたときに、前記一対の突状支持部２７，２７（図７参照）に当接して、バンド部４０の片面４５が、ロック部２０の底壁２１の内面から離反するように支持するものである。更に図３（ａ）に示すように、これらの一対のリブ４７，４７の間に、複数の係止歯４９，５１の幅方向両側部が配置されて一対のリブ４７，４７連結されている。
【００２３】
そして、この実施形態のバンドクランプ１０においては、図３（ｂ）に示すように、最先端係止歯５１は、裾部５３から頂部５４までの間に、断続的な斜面をなして突出するように設けられている。また、この最先端係止歯５１は、バンド部４０の延出方向の先端４３側に位置する第１斜面５９と、この第１斜面５９よりもバンド部４０の延出方向の基端４１側に位置する第２斜面６１と、第１斜面５９と第２斜面６１との間に設けられた棚面６３とを有しており、最先端係止歯５１の、バンド部４０の延出方向の先端４３側及びバンド部４０の延出方向の基端４１側に、第１斜面５９及び第２斜面６１を介して、段状に突出する部分が設けられている。すなわち、この実施形態における最先端係止歯５１は、第１斜面５９、及び、それよりもバンド部基端側に所定長さ離れた第２斜面６１が、バンド部４０の延出方向に沿って断続的に設けられており、これらの斜面５９，６１を介して、バンド部４０の片面４５から突出している。また、第１斜面５９と第２斜面６１との間に設けた棚面６３は、バンド部４０の片面４５からの突出量が一定とされている。
【００２４】
なお、本発明における最先端係止歯の「斜面」とは、バンド部４０の片面４５に対して、バンド部４０の延出方向先端側が低く、バンド部４０の延出方向基端側が高く突出するような斜面を意味しており、バンド部４０の延出方向先端側が高く、バンド部４０の延出方向基端側が低くなるような斜面は含まない。また、最先端係止歯の「段状に突出する部分」とは、この実施形態の場合、第１斜面５９及び該第１斜面５９に連設した棚面６３の先端側からなる段状部分と、第２斜面６１及び該第２斜面６１に連設した頂部５４からなる段状部分との、２つの段状部分から構成されている。
【００２５】
より具体的に説明すると、この実施形態においては、図３（ｂ）に示すように、最先端係止歯５１の裾部５３から前記第１斜面５９が、バンド部４０の基端側に向けて次第に高く突出するように傾斜して設けられており、この第１斜面５９の頂点（最も高い部分）から前記棚面６３が一定高さでバンド部基端側に向けて延出しており、更にこの棚面６３の基端（バンド部４０の基端側の端部）から、前記第２斜面６１が、バンド部４０の基端側に向けて次第に高く突出するように傾斜して設けられている。また、最先端係止歯５１の頂部５４は、第２斜面６１の頂点（最も高い部分）からバンド部基端側に向けて、バンド部４０の片面４５からの突出量が一定となるように形成されている。
【００２６】
なお、棚面６３の、バンド部４０の片面４５からの突出量は、バンド部４０の片面４５からの最先端係止歯５１の頂部５４の突出量を１としたときに、１／４〜３／４であることが好ましく、１／３〜２／３であることがより好ましい。また、棚面は、バンド部４０の片面４５からの突出量が一定ではなくても、バンド部４０の片面４５に対して所定角度で傾斜した斜面であってもよい。
【００２７】
そして、上記最先端係止歯５１は、バンド部４０の先端４３側に、最先端係止歯５１の頂部５４よりも低く形成された部分（ここでは第１斜面５９）を有していることにより、図４（ａ）に示すように、ロック部２０の挿通路２５にバンド部４０を先端４３側から挿入したときに、前記第１斜面５９が、係止爪３１の裾部３１ｃには当接せずに、最初に係止爪３１のテーパ面３１ａの所定位置（裾部３１ｃから離れた位置）に当接して同係止爪３１を押圧し、係止片３０をバンド部４０の片面４５側から離れる方向に撓み変形させるようになっている。このとき、図４（ａ）に示すように、係止爪３１のテーパ面３１ａには、最先端係止歯５１の第１斜面５９が面接触して、押圧力が付与されるようになっているが、係止爪３１のテーパ面３１ａのうち、係止片３０の基端３０ａに最も近い箇所を、最先端係止歯５１からの押圧力が付与される作用点Ｐ２とする。
【００２８】
また、図４（ａ）に示す状態からバンド部４０が更に挿入されると、図４（ｂ）に示すように、係止爪３１が棚面６３に乗り上がって、係止爪３１のテーパ面３１ａに、最先端係止歯５１の第２斜面６１が当接し、その後、係止爪３１の頂部３１ｂが最先端係止歯５１の頂部５４を乗り越えると、係止片３０が弾性復帰して、図５（ａ）に示すように、最先端係止歯５１の係止部５５と係止爪３１の係止部３１ｄとが互いに係止するようになっている。この図５（ａ）に示す状態からバンド部４０が更に挿入されると、最先端係止歯５１の第２斜面６１が、係止爪３１に対して基端３０ａから離れた位置にある、係止爪３２のテーパ面３２ａの所定位置に当接して、係止片３０をバンド部４０の片面４５側から離れる方向に撓み変形させる。
【００２９】
また、図３（ｂ）に示すように、最先端係止歯５１の、裾部５３から頂部５４（バンド部４０の基端側の端部）までの、バンド部４０の延出方向に沿った長さをＡとし、最先端係止歯５１に対して、バンド部４０の延出方向の基端４１側に隣接した係止歯４９の、裾部５３から頂部５４までの、バンド部４０の延出方向に沿った長さをＢとしたとき、前記Ａは、前記Ｂよりも大きくなるように形成されている。このように形成することにより、最先端係止歯５１の、断続的又は連続的な斜面をなして突出するような形状を設けやすくなり（Ａ＜Ｂだと、斜面を形成しにくい）、また、挿通路へのバンド部の挿入時に、係止片を、比較的長期に亘って、撓んだ状態に維持して、係止片に設けた係止爪が、係止歯の頂部を乗り越えやすくする（Ａ＜Ｂだと、挿通路へのバンド部挿入時に、係止片がすぐに弾性復帰して、係止爪が係止歯の頂部を乗り越えにくい）。
【００３０】
更に、最先端係止歯５１の頂部５４が、係止爪３２の頂部３２ｂを乗り越えた状態では、図５（ｂ）に示すように、バンド部先端側に位置する係止歯４９の傾斜面６５が、係止爪３２のテーパ面３２ａに当接するが、この係止歯４９に対してバンド部基端側に隣接する、別の係止歯４９の傾斜面６５は、係止爪３１のテーパ面３１ａに対して所定隙間をあけて配置されるようになっており、常にバンド部先端側に位置する係止歯４９の傾斜面６５が、係止爪３２のテーパ面３２ａに当接して、係止片３０を撓み変形させるようになっている。すなわち、この実施形態においては、最先端係止歯５１よりも、バンド部４０の基端４１側に位置する複数の係止歯４９のうち、バンド部４０の先端側に最も近い係止歯４９が、ロック部２０の挿通路２５への挿入時に、係止片３０に設けた複数の係止爪３１，３２のうち、係止片３０の撓み支点Ｐ１から離れた係止爪３２に当接して、係止片３０を撓み変形させるように構成されている。
【００３１】
そして、図３（ｂ）に示すように、最先端係止歯５１の棚面６３の、バンド部４０の延出方向に沿った長さをＣとし、最先端係止歯５１の頂部５４の、バンド部４０の延出方向に沿った長さをＤとしたとき、前記Ｃは前記Ｄよりも大きくなるように形成されている。
【００３２】
なお、この実施形態の最先端係止歯５１は、裾部５３から頂部５４までの間に、棚面６３を挟んで、断続的に設けた２つの斜面５９，６１をなして突出した形状となっているが、本発明における最先端係止歯としては、例えば、裾部から頂部までの間に、断続的に３つ以上の斜面をなして突出した形状としたり、一定高さで突出する棚面を複数形成したりしてもよい。
【００３３】
また、この実施形態においては、図３（ｂ）に示すように、係止歯４９，５１の頂部５４は、バンド部４０の片面４５からの突出量が一定となるように形成されているが、図３（ｂ）の部分拡大図の二点鎖線で示すように、係止歯４９，５１の頂部５４を山状の一点とし、該頂部５４からバンド部４０の延出方向の先端４３側に向けて傾斜するような、傾斜部５４ａが形成されていてもよい。なお、図３（ｂ）の部分拡大図の二点鎖線で示すように、最先端係止歯５１の頂部５４からバンド部４０の延出方向の先端４３側に向けて傾斜する傾斜部５４ａが形成されている場合には、同傾斜部５４ａの、バンド部４０の延出方向に沿った長さをＤとし、前記Ｃは前記Ｄよりも大きくなるように形成されている。更に、各係止歯４９，５１の係止部５５は、バンド部４０の延出方向に対してほぼ直角ではなく、バンド部４０の延出方向に対して所定角度で傾斜していてもよい。
【００３４】
また、図９に示すように、最先端係止歯５１は、裾部５３から頂部５４までの間に、連続的な斜面をなして突出する構造としてもよい。この場合の最先端係止歯５１は、その裾部５３から、バンド部４０の基端側に向けて次第に高くなるように連続的に突出する、連続斜面６７を有している。なお、最先端係止歯に、上記のような連続斜面を、複数設けてもよい（例えば、バンド部４０の片面４５に対して傾斜角度の異なる連続斜面を、バンド部４０の延出方向に沿って複数連設したような形状としてもよい）。
【００３５】
更に、複数の係止歯４９は、その裾部５３から傾斜面６５が、バンド部４０の基端側に向けて次第に高く突出するように傾斜して設けられていると共に、この傾斜面６５の頂点から、バンド部４０の片面４５からの突出量が一定の頂部５４が形成されている。
【００３６】
次に、上記構成からなるバンドクランプ１０の使用方法及び作用効果について説明する。
【００３７】
まず、バンド部４０を、複数の係止歯４９，５１が外向きとなるように湾曲させて、電線やケーブル等の被結束部材Ｈに巻き付ける。そして、バンド部４０の片面４５側をロック部２０の底壁２１側に向けて、バンド部４０の先端４３側から、ロック部２０の挿通路２５のバンド部入口２５ａに挿入する。このとき、バンド部４０の一対のリブ４７，４７が、ロック部２０の一対の突状支持部２７，２７に支持されて、バンド部４０がガイドされながら挿入される。
【００３８】
すると、図４（ａ）に示すように、最先端係止歯５１の第１斜面５９が、係止爪３１の裾部３１ｃには当接せずに、係止爪３１のテーパ面３１ａの、裾部３１ｃから離れた所定位置に当接して押圧し、係止片３０が、バンド部４０の片面４５から離れる方向に撓み変形していく。その後、係止爪３１の頂部３１ｂが棚面６３に当接して棚面６３上を摺接していき、図４（ｂ）に示すように、最先端係止歯５１の第２斜面６１が、係止爪３１のテーパ面３１ａに当接する。そして、係止爪３１の頂部３１ｂが最先端係止歯５１の頂部５４を乗り越えると、係止片３０が弾性復帰して、図５（ａ）に示すように、最先端係止歯５１の係止部５５と係止爪３１の係止部３１ｄとが互いに係止して、ロック部２０からバンド部４０が抜け外れないように仮保持される。
【００３９】
その後、バンド部４０が更に挿入されると、最先端係止歯５１の第２斜面６１が、係止爪３２のテーパ面３２ａの所定位置に当接して押圧し、係止片３０を撓み変形させ、係止爪３２の頂部３２ｂが最先端係止歯５１の頂部５４を乗り越えると、係止片３０が弾性復帰して、最先端係止歯５１の係止部５５と係止爪３２の係止部３２ｄとが互いに係止する。更にバンド部４０が挿入されると、図５（ｂ）に示すように、最先端係止歯５１に隣接する係止歯４９の傾斜面６５が、係止爪３２のテーパ面３２ａに当接して押圧し、係止片３０を撓み変形させ、係止爪３２の頂部３２ｂが係止歯４９の頂部５４を乗り越えると、係止片３０が弾性復帰して、図６に示すように、係止歯４９の係止部５５と係止爪３２の係止部３２ｄとが互いに係止する。
【００４０】
以後、バンド部４０を挿入していくと、バンド部先端側に位置する係止歯４９の傾斜面６５が、係止片先端側に位置する係止爪３２のテーパ面３２ａに順次当接して、係止片３０を撓み変形させて、係止歯４９の係止部５５と係止爪３２の係止部３２ｄとが断続的に係止して（図６参照）、バンド部４０の仮保持状態が維持される。その後、所定の工具や人力等によって、バンド部４０が被結束部材Ｈの外周を締め付けるまで引っ張ることで、図８に示すように、被結束部材Ｈをバンド部４０で締め付け保持することができる。
【００４１】
以上のように、このバンドクランプ１０においては、最先端係止歯５１の、裾部５３から頂部５４までの、バンド部４０の延出方向に沿った長さＡが、最先端係止歯５１に対して、バンド部４０の延出方向の基端４１側に隣接した係止歯４９の、裾部５３から頂部５４までの、バンド部４０の延出方向に沿った長さＢよりも大きくなるように形成されており、かつ、バンド部４０に設けた最先端係止歯５１は、裾部５３から頂部５４までの間に、断続的な斜面をなして突出するように設けられているので、ロック部２０とバンド部４０との間に被結束部材Ｈを配置した後、バンド部４０の先端４３をロック部２０の挿通路２５に挿入して、係止片３０の係止爪３１,３２にバンド部４０の係止歯４９，５１を係止させていく際に、最先端係止歯５１が、係止爪３１を押圧して係止片３０を撓ませるようになっている。その結果、係止片３０の、撓み変形時の支点Ｐ１と、係止爪３１の、最先端係止歯５１からの押圧力が付与される作用点Ｐ２との距離Ｌ（図４（ａ）参照）をなるべく長く確保して、係止片３０を撓ませやすくすることができ、ロック部２０の挿通路２５にバンド部４０を低い挿入力で挿入することができる。特に、ロック部２０の挿通路２５にバンド部４０を挿入して、係止片３０の係止爪３１に、最先端係止歯５１を係止させる際の、バンド部４０の挿入力を低下することができる。
【００４２】
また、最先端係止歯５１が、係止爪３１を押圧した状態から、更にバンド部４０が挿入される際は、すでに係止片３０が撓んでいる状態となっているので（図４（ｂ）参照）、係止爪３１が最先端係止歯５１の頂部５４を乗り越えやすくすることでき、バンド部４０の挿入力の低下を図ることができる。
【００４３】
ところで、この実施形態においては、図５（ｂ）に示すように、複数の係止歯４９のうち、バンド部４０の先端側に最も近い係止歯４９が、ロック部２０の挿通路２５への挿入時に、係止片３０の撓み支点Ｐ１から離れた係止爪３２に当接して、係止片３０を撓み変形させるように構成されている。そのため、係止片３０の、撓み変形時の支点Ｐ１と、係止爪３２の、最先端係止歯５１からの押圧力が付与される作用点Ｐ３との距離Ｌを長く確保することができるので、係止片３０を撓ませやすくすることができ、最先端係止歯５１の通過後においても、バンド部４０の挿入力を低くすることができる。
【００４４】
なお、上記の効果は、図９に示すように、最先端係止歯５１が、裾部５３から頂部５４までの間に、連続斜面６７を有する場合であっても、同様に得ることができる。
【００４５】
また、この実施形態においては、最先端係止歯５１は、バンド部４０の延出方向の先端４３側に位置する第１斜面５９と、この第１斜面５９よりもバンド部４０の延出方向の基端４１側に位置する第２斜面６１と、第１斜面５９と第２斜面６１との間に設けられた棚面６３とを有しており、最先端係止歯５１の、バンド部４０の延出方向の先端４３側及びバンド部４０の延出方向の基端４１側に、第１斜面５９及び第２斜面６１を介して、段状に突出する部分が設けられている。そのため、ロック部２０の挿通路２５にバンド部４０を挿入する際、図４（ｂ）に示すように、係止片３０の係止爪３１を、最先端係止歯５１の第１斜面５９と第２斜面６１との間に係止させて（ここでは係止爪３１の頂部３１ｂを棚面６３に係止させる）、バンド部４０をロック部２０の挿通路２５に挿入した状態で仮保持することができる。すなわち、最先端係止歯５１により押圧された係止片３０は、初期形状（図４（ａ）参照）に弾性復帰しようとするので、係止爪３１が棚面６３に係止するようになっている。
【００４６】
更に、この実施形態においては、図４（ｂ）に示すように、第１斜面５９と第２斜面６１との間に設けた棚面６３は、バンド部４０の片面４５からの突出量が一定とされているので、バンド部４０の仮保持を安定して行うことができる。
【００４７】
また、この実施形態においては、図３（ｂ）に示すように、棚面６３の、バンド部４０の延出方向に沿った長さＣが、最先端係止歯５１の、バンド部４０の片面４５からの突出量が一定に形成された頂部５４、又は、最先端係止歯５１の頂部５４からバンド部４０の延出方向の先端４３側に向けて傾斜する傾斜部５４ａ（図３（ｂ）の部分拡大図の二点鎖線参照）の、バンド部４０の延出方向に沿った長さＤよりも大きくなるように形成されているので、棚面６３の長さＣを長く確保することができ、バンド部４０の仮保持を更に安定して行うことができる。
【００４８】
更に、この実施形態においては、ロック部２０の挿通路２５の内部には、一対の突状支持部２７，２７が設けられており（図７参照）、バンド部４０の、延出方向に直交する幅方向の両側部には、一対の突状支持部２７，２７に支持される、一対のリブ４７，４７が設けられており、これらの一対のリブ４７，４７の間に、最先端係止歯５１が配置された構造となっている（図３（ａ）参照）。そのため、ロック部２０の挿通路２５にバンド部４０を挿入すると、一対の突状支持部２７，２７に一対のリブ４７，４７が支持されて、バンド部４０のガタ付きを抑えつつ、バンド部４０を係止片３０から離れる方向に位置合わせすることができ、最先端係止歯５１の斜面を、係止片３０の係止爪３１の突出方向途中部分に当接させやすくすることができ（図４（ａ），（ｂ）に示すように、最先端係止歯５１の第１斜面５９や第２斜面６１を係止爪３１のテーパ面３１ａに当接させやすくすることができる）、バンド部４０の挿入力の低下をより適切に図ることができる。
【００４９】
なお、本発明は、上述した実施形態に限定されるものではなく、本発明の要旨の範囲内で、各種の変形実施形態が可能であり、そのような実施形態も本発明の範囲に含まれる。
【符号の説明】
【００５０】
１０  バンドクランプ
２０  ロック部
２５  挿通路
３０  係止片
３１，３２  係止爪
３５  係止脚
４０  バンド部
４１  基端
４３  先端
４５  片面
４７，４７  リブ
４９  係止歯
５１  最先端係止歯
５３  裾部
５４  頂部
５４ａ  傾斜部
５９  第１斜面
６１  第２斜面
６３  棚面
【図１】
2020137943.tif 000003
【図２】
2020137943.tif 000004
【図３】
2020137943.tif 000005
【図４】
2020137943.tif 000006
【図５】
2020137943.tif 000007
【図６】
2020137943.tif 000008
【図７】
2020137943.tif 000009
【図８】
2020137943.tif 000010
【図９】
2020137943.tif 000011
【図１０】
2020137943.tif 000012
【手続補正書】
【提出日】令和2年4月20日(2020.4.20)
【手続補正１】
【補正対象書類名】特許請求の範囲
【補正対象項目名】全文
【補正方法】変更
【補正の内容】
【特許請求の範囲】
【請求項１】
ロック部と、該ロック部から延出したバンド部とを有し、
前記ロック部は、前記バンド部が挿通される挿通路と、該挿通路の内部に撓み可能に形成された係止片とを有し、
前記バンド部は、少なくとも片面から突出形成された複数の係止歯を有し、
前記係止片は、前記バンド部が前記挿通路に挿入されるとき、前記係止歯に係止する係止爪を有し、
各係止歯は、前記バンド部の延出方向の先端側に位置する突出量が最小の裾部と、前記バンド部の延出方向の基端側に位置する突出量が最大の頂部とを有しており、
前記複数の係止歯のうち、前記バンド部の延出方向の最も先端側に位置する最先端係止歯の、前記裾部から前記頂部までの、前記バンド部の延出方向に沿った長さをＡとし、
前記複数の係止歯のうち、前記最先端係止歯に対して、前記バンド部の延出方向の基端側に隣接した係止歯の、前記裾部から前記頂部までの、前記バンド部の延出方向に沿った長さをＢとしたとき、前記Ａが前記Ｂよりも大きくなるように形成されており、
前記最先端係止歯は、前記裾部から前記頂部までの間に、断続的な斜面をなして突出するように設けられており、前記バンド部の延出方向の先端側に位置する第１斜面と、該第１斜面よりも前記バンド部の延出方向の基端側に位置する第２斜面と、前記第１斜面と前記第２斜面との間に設けられた棚面とを有していることを特徴とするバンドクランプ。
【請求項２】
前記最先端係止歯は、前記最先端係止歯の、前記バンド部の延出方向の先端側及び前記バンド部の延出方向の基端側に、前記第１斜面及び前記第２斜面を介して、段状に突出する部分が設けられている請求項１記載のバンドクランプ。
【請求項３】
前記棚面は、前記バンド部の片面からの突出量が一定とされている請求項１又は２記載のバンドクランプ。
【請求項４】
前記最先端係止歯は、その頂部が、前記バンド部の片面からの突出量が一定となるように形成されているか、又は、前記最先端係止歯の頂部から前記バンド部の延出方向の先端側に向けて傾斜する傾斜部が形成されており、
前記棚面の、前記バンド部の延出方向に沿った長さをＣとし、
前記バンド部の片面からの突出量が一定に形成された前記頂部、又は、前記傾斜部の、前記バンド部の延出方向に沿った長さをＤとしたとき、前記Ｃは前記Ｄよりも大きくなるように形成されている請求項１〜３のいずれか１つの記載のバンドクランプ。
【請求項５】
前記ロック部の前記挿通路の内部には、一対の突状支持部が設けられており、
前記バンド部の、延出方向に直交する幅方向の両側部には、前記一対の突状支持部に支持される一対のリブが設けられており、これらの一対のリブの間に、前記最先端係止歯が配置されている請求項１〜４のいずれか１つに記載のバンドクランプ。
【国際調査報告】
2020137943.tif 000013
2020137943.tif 000014
2020137943.tif 000015
2020137943.tif 000016
2020137943.tif 000017